(57)【特許請求の範囲】
【請求項１】
薄板状に形成されてその下面に凹み部が形成されている取手において、凹み部の前縁に凹み部とともに手掛かり部を構成する垂下片が形成されていることを特徴とする取手。
【請求項２】
請求項１に記載の取手であって、垂下片は取手の前端部から間隔をあけた位置から形成されていることを特徴とする取手。
【請求項３】
請求項１または２に記載の取手であって、垂下片は取手の左右端部から間隔をあけた位置から形成されていることを特徴とする取手。
【請求項４】
請求項１から３のいずれかに記載の取手であって、取手の下面からの垂下片の突出した長さが、取手の前端部から垂下片までの距離よりも短いことを特徴とする取手。
【発明の詳細な説明】
【技術分野】
【０００１】
本発明は、取手に関し、例えば、システムキッチンにおける扉や引き出し等の取手に関するものである。
【背景技術】
【０００２】
従来、システムキッチンの取手として、図７に示すような例１、２が知られている。図７（ａ）〜（ｃ）に示す従来例１の取手７１は、全体的にコの字状の形状をしており、取手７１と、この取手７１を取り付けた扉７２との間に設けられた空間部７３に、手を入れて取手７１を握ることで、扉７２の開閉に力を入れやすい構成となっている。
【０００３】
一方、近年、取手についてはシンプルなデザインが求められており、シンプルな取手としてコの字状ではなく、ブロック状の取手が増えている。その中でも、図７（ｄ）、（ｅ）に示す従来例２の取手７５は、薄板状に形成されており、正面から見て薄く見えてシンプルであり意匠性も優れている。取手７５は、その下面７６に手掛かり部の一部となる凹み部７７が形成されている。利用者は、この凹み部７７の前縁７８に手を掛けて扉７９を開けることができる。
【０００４】
また、取手を薄型に形成し、その下面を指先の形状に応じた曲面形状としたものが知られている（特許文献１参照）。さらに、取手の下面に引手周囲溝を形成したものも知られている（特許文献２参照）。
【先行技術文献】
【特許文献】
【０００５】
【特許文献１】特開２００５−１３７５９０号公報
【特許文献２】実公平３−２４１０３号公報
【発明の概要】
【発明が解決しようとする課題】
【０００６】
上記のとおり、近年、意匠性の観点から取手を薄くすることが求められているが、このような薄板状の取手では、薄い形状のために手掛かりに十分な深さの溝が形成しにくくなり、扉の開閉において力が入れにくいという操作性で問題が生じる。例えば、上記従来例２の取手７５は、単純に取手７５を薄くすると、凹み部７７は十分な深さに形成できないために、その前縁７９に手をしっかりと掛けて力を入れるようなことがしにくくなる。
【０００７】
本発明は、手掛かり部を十分とれ、取手の操作性を犠牲にせずに、薄い形状の取手として意匠性を向上させることのできる扉に取付けられる取手を実現することを目的とする。
【課題を解決するための手段】
【０００８】
本発明は上記課題を解決するために、薄板状に形成されてその下面に凹み部が形成されている取手において、凹み部の前縁に凹み部とともに手掛かり部を構成する垂下片が形成されていることを特徴とする取手を提供する。
【０００９】
垂下片は取手の前端部から間隔をあけた位置から形成されていることが好ましい。
【００１０】
垂下片は取手の左右端部から間隔をあけた位置から形成されていることが好ましい。
【００１１】
取手の下面からの垂下片の突出した長さが、取手の前端部から垂下片までの距離よりも短いことが好ましい。
【発明の効果】
【００１２】
本発明に係る取手は、取手の下面に凹み部とともに手掛かり部を構成する垂下片を凹み部の前縁に形成したので、意匠性に優れた薄板状の取手であっても、十分な手掛かりを確保することができる。
【図面の簡単な説明】
【００１３】
【図１】本発明に係る取手の実施例１を説明する図であり、（ａ）は上面図（上方から見た平面図）、（ｂ）は底面図（下方から見た平面図）、（ｃ）は正面図（前方から見た図）、（ｄ）は背面図（裏面後方から見た図）である。
【図２】実施例１の取手を説明する図であり、（ａ）は上面図であり、（ｂ）は（ａ）のＢ−Ｂ断面を示し、（ｃ）は（ａ）の側面図であり、（ｄ）は（ａ）のＤ−Ｄ断面を示し、（ｅ）は（ｄ）の拡大図を示す。
【図３】（ａ）、（ｂ）は、実施例１の取手の斜視図である。
【図４】（ａ）〜（ｃ）は、実施例２の平面図、正面図及び側面図であり、（ｄ）〜（ｆ）は実施例３の平面図、正面図及び側面図である。
【図５】（ａ）〜（ｆ）は、実施例４の平面図、正面図、側面図、Ｄ−Ｄ断面図、Ｅ−Ｅ断面図、背面図である。
【図６】（ａ）〜（ｆ）は、実施例５の平面図、正面図、側面図、Ｄ−Ｄ断面図、Ｅ−Ｅ断面図、背面図である。
【図７】（ａ）〜（ｃ）は従来例１を示し、（ａ）は取手斜め下方から見た斜視図、（ｂ）は平面図、（ｃ）はＣ−Ｃ断面図を示す。（ｄ）、（ｅ）は従来例２を示し、（ｄ）は取手斜め下方から見た斜視図、（ｅ）は垂直断面図を示す。
【発明を実施するための形態】
【００１４】
本発明に係る取手を実施するための形態を実施例に基づき図面を参照して、以下説明する。本発明に係る取手は、例えば、システムキッチン等のキャビネットの扉の取手として、扉に取り付けられるものである。
【実施例１】
【００１５】
本発明に係る取手の実施例１を、図１〜３において説明する。図１（ａ）及び図２（ａ）は、いずれも実施例１の取手１を扉２に取り付けた状態を上方から見た平面図である。本明細書では、扉２に対して正面手前側を前方と言い、取手１の長手方向を左右方向と言う。実施例１の取手１は、図１（ａ）及び図２（ａ）に示すように、平面視で左右方向に長細い長方形をしている。
【００１６】
取手１は、その厚さ（図１（ｃ）（正面図）及び図１（ｄ）（背面図）における上下方向の厚みｔ）は、比較的薄く、いわゆる薄板状に形成されている。そして、取手１は、頂板３と、図１（ｂ）（底面図：下方から見た平面図）に示すように、左側枠４、右側枠５、前枠６及び後枠７から成る平面視で矩形の枠８とを有する。
【００１７】
取手１の下面において、矩形の枠８で囲まれた部分が凹み部１０となっている。即ち、取手１の下面には、図１（ｂ）（底面図）、図２（ｂ）、（ｄ）、（ｅ）に示すように、人の手先が入る凹み部１０が形成されている。
【００１８】
この凹み部１０の前縁であって、前枠６の後縁１１に沿って、凹み部１０とともに手掛かり部を構成する垂下片１２が下方に突出するように形成されている。なお、図２（ｂ）では、垂下片１２は、本来であればＢ−Ｂ断面の背面側であるから図示されないが、参考のために想像線（２点鎖線）で示す。また、垂下片１２は、図２では垂直に記載されているが、これに限定されるものではなく、傾斜状に形成されているのでも構わない。
【００１９】
左右の側枠４、５は、その内側面が、図２（ａ）、（ｂ）、図３（ａ）に示すように、凹み部１０が頂板３に向けて若干すぼまるように、断面視でハの字型の傾斜面９として形成されている。これにより、頂板３と左右の側枠４、５の内面角θは、図２（ｂ）及び図３（ａ）に示すように、鈍角に形成されている。なお、左右の側枠４、５の内側面を傾斜面９とすることなく、内面角θを鈍角とすることなく、直角等でもよい。
【００２０】
前枠６は、図１（ａ）、（ｃ）及び図２（ｃ）等に示すように、前方に向けて突出し、その前面１５における上下左右の縁部及び角部６’は、使用者が手を掛ける際や、縁部に体が接触しても危険のないように面取りして曲面に形成されている。同様に、垂下片１２の下面１４における左右前後の縁部及び角部１４’は、図１（ｃ）及び図２（ｅ）に示すように、使用者が手を掛ける際や、縁部に体が接触しても危険のないように、面取りして曲面に形成されている。
【００２１】
図１（ｄ）、図２（ａ）、（ｂ）及び図３（ａ）に示すように、取手１の背面の左右側端には、それぞれねじ孔１３が形成されており、扉２の内面側からねじ込まれたねじが、取手１のねじ孔１３にねじ込まれて、図３（ｂ）に示すように、取手１が扉２に取り付けられる。
【００２２】
垂下片１２は、図２（ｅ）に示すように、取手１の前端部、即ち前枠６の前面１５から間隔ｆをあけた位置から下方に突設されている。より詳細には、垂下片１２は、その前後方向（厚み方向）については、その前面１６は前枠６の前面１５から間隔ｆをあけた位置にあり、その後面１７は凹み部１０の前縁内面１８と面一に形成されている。
【００２３】
垂下片１２は、図１（ｃ）及び図２（ｂ）に示すように、取手１の左右の側端から内方に間隔ｇをあけた位置から形成されている。より詳細には、垂下片１２は、その左右方向（横幅方向）については、左側端１９は左側枠４の外面から間隔ｇあけた位置にあり、右側端２０は右側枠５の外面から間隔ｇあけた位置にある。
【００２４】
垂下片１２は、図２（ｅ）に示すように、取手１の下面から突出した長さｓが、取手１の前端部から垂下片１２までの間隔ｆよりも短く形成されている。より詳細には、垂下片１２における取手１の前枠６の下面２１から下方に突出した部分の長さｓが、取手１の前枠６の前面１５から垂下片１２の前面１６までの間隔ｆよりも短く形成されている。
【００２５】
（作用）
以上の構成から成る取手１の作用を説明する。取手１は、扉２の裏側からねじ込まれたねじをねじ孔１３にねじ込んで、図３（ｂ）に示すように、扉２に固定される。使用者が扉２を開く場合は、手を取手１の下方から取手１の凹み部１０に差し入れて、指先を垂下片１２に掛けて前方に引けばよい。        
【００２６】
取手１は、その前枠６の下面２１から下方に突出した長さｓが、取手１の前枠６の前面１５から垂下片１２の前面１６までの間隔ｆよりも短く形成されているために、図２（ｅ）及び図３（ｂ）に示すように、通常の視点２２である取手１の前方斜め上方から取手１を見た場合は、垂下片１２は前枠６によって隠れて見えないので、取手１が全体的にすっきりとシンプルに見えて、意匠性が優れている。
【００２７】
また、取手１は、その垂下片１２の左右の側端１９、２０が、左右の側枠４、５の外面から内方に間隔ｇをあけた位置にあるから、図１（ｃ）及び図３（ｂ）に示すように、通常の視点２３である扉２の側方における斜め上方から見ても、垂下片１２は左右の側枠４、５によって隠れて見えないので、取手１が全体的にすっきりとシンプルに見えて、意匠性が優れている。また、取手を薄型にしても、ねじ孔１３を形成するのに十分な肉厚を確保することができる。
【００２８】
なお、図３（ｂ）に示すように、取手１の同じ高さにおける前方の視点２４又は側方の視点２５から取手１を見た場合は、垂下片１２は見えるが、これらの視点２４、２５は、一般的には人が屈んだりして見る視点であって、通常の視点ではないので、特に意匠性を損なうものではない。
【００２９】
前枠６の前面１５における上下左右の縁部及び角部６’は、面取りして曲面に形成されているから、使用者が手を掛ける際や、縁部に体が接触しても危険がない（図１（ａ）、（ｃ）及び図２（ｃ）参照）また、垂下片１２の下面１４の左右前後の縁部及び角部１４’は、面取りして曲面に形成されているから、使用者が手を掛ける際や、縁部に体が接触しても危険がない（図１（ｃ）及び図２（ｅ）参照）。
【００３０】
左右の側枠４、５は、その内側面が、傾斜面９として形成され、頂板３と左右の側枠４、５の内面角θは、鈍角に形成されているために、内面角θの部分にゴミが溜まりにくく、
取手１の凹み部１０の左右の側枠４、５の内側面及び内面角θに付着するゴミ等を除去し易い（図２（ｂ）、図３（ａ）参照）。
【実施例２】
【００３１】
図４（ａ）〜（ｃ）は、それぞれ本発明に係る取手の実施例２の平面図、正面図、側面図を示す。実施例２の取手３１は、実施例１の取手１とほぼ同じ構成であり、作用も同じである。即ち、実施例２の取手３１は、実施例１の取手１と同様に、薄板状に形成されており、その下面に凹み部３２が形成されている。
【００３２】
そして、凹み部３２を囲う前枠３６及び左右の側枠３７、３８は備えており、左右の側枠３７、３８の背面には、それぞれねじ孔３９が形成されている。さらに、この凹み部３２の前端３３に、凹み部３２とともに手掛かり部を構成する垂下片３４が形成されている。
【００３３】
しかしながら、実施例２の取手３１は、図４（ｂ）、（ｃ）に示すように、取手３２が全体的に平板状であり、しかも、実施例１の取手１の後枠７に相当するものは備えていない。要するに、凹み部３２の背面側は開口されている。
【実施例３】
【００３４】
図４（ｄ）〜（ｆ）は、本発明に係る取手の実施例３の正面図、側面図を示す。実施例３の取手４１は、実施例１の取手１とほぼ同じ構成であり、作用も同じである。実施例３の取手４１は、実施例１の取手１と同様に、薄板状に形成されており、その下面に凹み部４２が形成されている。
【００３５】
そして、実施例３の取手４１は、前枠４６、左右の側枠４７、４８は備えており、左右の側枠４７、４８の背面には、それぞれねじ孔４９が形成されている。さらに、この凹み部４２の前端４３に凹み部４２とともに手掛かり部を構成する垂下片４４が形成されている。
【００３６】
しかしながら、実施例３の取手４１は、実施例１の取手１の後枠７に相当するものは備えていない。要するに、凹み部４２の背面側は開口されている。以上説明した構成の限りでは、実施例３の取手４１は、実施例２の取手３１と同じであるが、実施例３の取手４１は、図４（ｆ）に示すように、前方に向けて漸次薄くなる構成であり、このような外形においては、実施例２の取手３１とは異なる。
【実施例４】
【００３７】
図５（ａ）〜（ｆ）は、本発明に係る取手の実施例４を説明する図である。実施例４の取手５１は、実施例２の取手３１とほぼ同じ構成であり、作用も同じである。実施例４の取手５１は、実施例２の取手３１に較べより薄板状に形成されており、図５（ａ）（平面図）及び図５（ｅ）（Ｅ−Ｅ断面図）に示すように、平面視コの字型の枠５２を有している。
【００３８】
この枠５２で囲まれる部分は凹み部５３となっている。凹み部５３の背面側は開口されている。この凹み部５３の前端に凹み部５３とともに手掛かり部を構成する垂下片５４が形成されている。
【００３９】
この実施例４の取手５１は、実施例２の取手３１に比較してより薄くしたために、ねじ孔が形成できないので、枠５４の左右の側枠５５、５６の後部は、それぞれ図５（ｃ）（側面図）、（ｄ）（Ｄ−Ｄ断面図）、（ｅ）（Ｅ−Ｅ断面図）、（ｆ）（背面図）に示すように厚肉部５７が形成されている。この厚肉部５７の背面に、扉への取り付け用のねじ孔５８が形成されている。
【実施例５】
【００４０】
図６（ａ）〜（ｆ）は、本発明に係る取手の実施例５を説明する図である。実施例５の取手６１は、実施例４の取手４１とほぼ同じ構成であり、作用も同じである。実施例４の取手４１と構成が共通する部分は同じ符号を使用する。
【００４１】
上記実施例４の取手５１は、その枠５２には後枠（実施例１の取手１における後枠７参照）は設けられていない。しかし、実施例５の取手６１は、その枠６２が、図６（ａ）、（ｅ）に示すように、平面視で矩形枠として形成され、後枠６３を備えている。そして、この後枠６３が、図６（ｃ）〜（ｆ）に示すように、厚肉部となっており、その背面にねじ孔５８が形成されている。
【００４２】
実施例５の取手６１において、後枠６３を設ける構成による長所及び短所は次のとおりである。長所は、取手６１の全体的な強度が向上する点である。短所は、後枠６３を設けると手掛かり部として機能する凹み部５３の前後方向の幅ｗが小さくなり、凹み部５３に手を入れて垂下片５４に手を掛けにくくなる。従って、全体的な寸法の小さな取手には不向きであり、全体的な寸法の大きな取手であってより大きな強度が必要な取手には、適切である。
【００４３】
以上、本発明に係る取手を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４４】
本発明に係る取手は上記のような構成であるから、システムキッチンのキャビネットだけでなく、家庭用、ビジネス用の机、キャビネット等の扉の取手としても適用可能である。
【符号の説明】
【００４５】
（実施例１）
１  取手                                           
２  扉                                             
３  頂板                                           
４  左側枠                                         
５  右側枠                                         
６  前枠
６’  前枠の上下左右の縁部及び角部
７  後枠                                           
８  矩形の枠                                       
９  頂板と左右の側枠の内面角部の傾斜面             
１０  凹み部                                       
１１  前枠の後縁                               
１２  垂下片                                       
１３  ねじ孔                                       
１４  垂下片の下面                                 
１４’  垂下片の下面における左右前後の縁部及び角部１４’
１５  前枠の前面                                   
１６  垂下片の前面                                 
１７  垂下片の後面                                 
１８  凹み部の前縁内面                             
１９  取手の左側端                                 
２０  取手の右側端                                 
２１  前枠の下面                                   
２２、２３  通常の視点                             
２４  取手と同じ高さにおける前方の視点             
２５  取手と同じ高さにおける側方の視点             
（実施例２）
３１  取手       
３２  凹み部     
３３  凹み部の前端
３４  垂下片     
３６  前枠       
３７  左側枠
３８  右側枠
３９  ねじ孔
（実施例３）
４１  取手         
４２  凹み部       
４３  凹み部の前端 
４４  垂下片       
４６  前枠         
４７  左側枠       
４８  右側枠       
（実施例４）
５１  取手                     
５２  枠                       
５３  凹み部                   
５４  垂下片                   
５５、５６  枠の左右の側枠     
５７  厚肉部                   
５８  ねじ孔  
（実施例５）                 
６１  変形例の取手             
６２  枠                       
６３  後枠                     
（従来例１）
７１  取手
７２  扉
７３  空間部
（従来例２）
７５  取手
７６  取手の下面
７７  凹み部
７８  凹み部の前縁
７９  扉
【図１】
0005381761.tif 000002
【図２】
0005381761.tif 000003
【図３】
0005381761.tif 000004
【図４】
0005381761.tif 000005
【図５】
0005381761.tif 000006
【図６】
0005381761.tif 000007
【図７】
0005381761.tif 000008